(57)【要約】      （修正有）【課題】充電時に水平状の差込プラグに固定されると共に、電子モバイル機器を保持することができる充電コネクタ固定ホルダーを提供する。【解決手段】充電コネクタ固定ホルダーは、締め付けバンド１及び担持ユニット２を有する。締め付けバンド１は、弾性があり、その内径が伸ばすことで拡大される。担持ユニット２は、締め付けバンド１の一部に連結され、少なくとも１つのフロントストッパー２１及び少なくとも１つのバックストッパー２２が立設される。フロントストッパー２１とバックストッパー２２との間には、物品を置くための受容空間２３を有する。物品が電子モバイル機器である。締め付けバンド１は、充電器４が有する差込プラグ４１の外周に套設可能であり、充電中に充電コネクタ固定ホルダーで電子モバイル機器を保持できる。これにより、ケーブル４２又は電子モバイル機器を蹴ることによる損傷を回避できる。【選択図】図１
0003235219.tif 000002
【実用新案登録請求の範囲】
【請求項１】
締め付けバンドと担持ユニットとを有する充電コネクタ固定ホルダーであって、
前記締め付けバンドは、弾性があり、その内径が伸ばすことで拡大され、
前記担持ユニットは、前記締め付けバンドの一部に連結され、少なくとも１つのフロントストッパー及び少なくとも１つのバックストッパーが立設され、
前記フロントストッパーと前記バックストッパーとの間には、物品を置くための配置空間を有することを特徴とする、充電コネクタ固定ホルダー。
【請求項２】
前記締め付けバンドは、充電器の差込プラグの外周に套設可能であることを特徴とする、請求項１に記載の充電コネクタ固定ホルダー。
【請求項３】
前記フロントストッパーは、前記担持ユニットに位置調整可能に立設されることを特徴とする、請求項１に記載の充電コネクタ固定ホルダー。
【請求項４】
前記担持ユニットは、その頂面に凸歯部が形成され、その両側にそれぞれ凸レールが形成され、
前記フロントストッパーは、その底面の真ん中に一方向ギアが形成され、その両側が下に延長してフック状の保持部材に形成され、
組み立てる場合に、前記フロントストッパーは、２つの前記保持部材を介して前記凸レールと接触することにより、前記担持ユニットの上に移動することができ、前記一方向ギアは、前記凸歯部に適時に係止されることを特徴とする、請求項３に記載の充電コネクタ固定ホルダー。
【請求項５】
前記担持ユニットは、その底部に係止ブロックがさらに形成され、
前記係止ブロックと前記担持ユニットとの間には、前記締め付けバンドの一部を配置するための隙間を有し、
前記締め付けバンドの一部が前記隙間に配置されると、前記担持ユニットが前記締め付けバンドの一部に連結されることを特徴とする、請求項１に記載の充電コネクタ固定ホルダー。
【請求項６】
継手部材をさらに有し、
前記締め付けバンドは、前記継手部材の外周に套設され、
前記継手部材は、その中央に少なくとも１つの嵌合穴が形成され、
前記嵌合穴は、コネクタに対応し、
前記コネクタは、ポートの形状に対応し、
前記ポートは、ＵＳＢ、ＵＳＢ  Ｔｙｐｅ−Ｃ、Ｍｉｃｒｏ  ＵＳＢ、又はＬｉｇｈｔｎｉｎｇであることを特徴とする、請求項１に記載の充電コネクタ固定ホルダー。
【請求項７】
前記嵌合穴は、第１の穴タイプと第２の穴タイプとを交差してなる十字穴であり、
前記第１の穴タイプの形状は、前記第２の穴タイプの形状と異なり、
前記第１の穴タイプ及び前記第２の穴タイプは、それぞれ異なる前記コネクタの形状に対応することを特徴とする、請求項６に記載の充電コネクタ固定ホルダー。
【請求項８】
支持部をさらに有し、
前記支持部は、上下に接続される支持座及びソケット部材からなるものであり、
前記支持座は、ワイヤレス充電センサーの設置のために用いられ、
前記ソケット部材は、中空状で開口部が下に向かって、その中空部のサイズが前記バックストッパーに対応し、
前記ソケット部材が前記バックストッパーに套設されると、前記支持部が前記担持ユニットに立設され得ることを特徴とする、請求項１に記載の充電コネクタ固定ホルダー。
【請求項９】
担持部をさらに有し、
前記担持部は、直立状の支持部材及び水平状の担持プレートからなるものであり、
前記支持部材は、中空状で開口部が下に向かって、その中空部のサイズが前記バックストッパーに対応し、
前記支持部材が前記バックストッパーに套設されると、前記担持プレートを前記担持ユニットに水平に配置し得ることを特徴とする、請求項１に記載の充電コネクタ固定ホルダー。
【請求項１０】
前記担持プレートは、担持溝がさらに形成され、
前記担持溝は、ワイヤレス充電センサーの設置のために用いられることを特徴とする、請求項９に記載の充電コネクタ固定ホルダー。
【考案の詳細な説明】
【技術分野】
【０００１】
本考案は、固定ホルダーに関し、特に、充電時に水平状の差込プラグに固定されると共に、電子モバイル機器を保持することができる固定ホルダーに関する。
【背景技術】
【０００２】
現在、携帯電話、ビデオプレーヤー、小型カメラ等の電子モバイル機器は、人気のある製品であり、このような電子モバイル機器、例えば、携帯電話は、一定期間使用した後に充電しなければならない。一般的な充電方法としては、携帯電話を充電器のケーブルの一端に接続し、さらにケーブルのもう一端の差込プラグを壁コンセントに挿す。ケーブルのもう一端が特定の規格のコネクタ（例えば、ＵＳＢポート等）である場合には、前記コンセントがそれに対応する差し込み口が無い限り、アダプタをコンセントに挿し、さらにコネクタをアダプタに挿す必要がある。
【０００３】
その場合、コンセントの周辺の床に携帯電話及びその携帯電話に接続されているケーブルが散らばる。よって、携帯電話の表面を傷つけやすいだけでなく、誰かが前記ケーブル又は前記携帯電話を蹴った場合、携帯電話が壊れる可能性もある。前記事故を避けるために、延長コードを使って電源を机の上に置いて充電するか、又は壁コンセントの近くに椅子を置いて、充電中の携帯電話を椅子に置く方法があるが、いずれもいい解決策とは言えない。
【考案の概要】
【考案が解決しようとする課題】
【０００４】
上記問題を解決するために、本考案の主な目的は、充電コネクタ固定ホルダーであって、垂直な壁に設置された壁コンセントで携帯電話を充電する時に、携帯電話を保持することによって予想外の衝突による携帯電話の損傷の可能性を低減させるための充電コネクタ固定ホルダーを提供する。
【課題を解決するための手段】
【０００５】
上記の目的を達成するために、本考案に係る充電コネクタ固定ホルダーは、締め付けバンドと担持ユニットとを有する。前記締め付けバンドは、弾性があり、その内径が伸ばすことで拡大され得る。前記担持ユニットは、前記締め付けバンドの一部に連結され、少なくとも１つのフロントストッパー及び少なくとも１つのバックストッパーが立設される。前記フロントストッパーと前記バックストッパーとの間には、物品を置くための配置空間を有する。
【０００６】
１つの好ましい実施形態において、前記締め付けバンドは、充電器の差込プラグの外周に套設可能である。
【０００７】
１つの好ましい実施形態において、前記フロントストッパーは、前記担持ユニットに位置調整可能に立設される。
【０００８】
１つの好ましい実施形態において、前記担持ユニットは、その頂面に凸歯部が形成され、その両側にそれぞれ凸レールが形成され、前記フロントストッパーは、その底面の真ん中に一方向ギアが形成され、その両側が下に延長してフック状の保持部材に形成される。組み立てる場合に、前記フロントストッパーは、２つの前記保持部材を介して前記凸レールと接触することにより、前記担持ユニットの上に移動することができる。前記一方向ギアは、前記凸歯面部に適時に係止される。
【０００９】
１つの好ましい実施形態において、前記担持ユニットは、その底部に係止ブロックがさらに形成される。前記係止ブロックと前記担持ユニットとの間には、前記締め付けバンドの一部を配置するための隙間を有する。前記締め付けバンドの一部が前記隙間に配置されると、前記担持ユニットが前記締め付けバンドの一部に連結される。
【００１０】
１つの好ましい実施形態において、継手部材をさらに有する。前記締め付けバンドは、前記継手部材の外周に套設される。前記継手部材は、その中央に少なくとも１つの嵌合穴が形成される。前記嵌合穴は、コネクタに対応する。前記コネクタは、ポートの形状に対応する。前記ポートは、ＵＳＢ（Ｕｎｉｖｅｒｓａｌ  Ｓｅｒｉａｌ  Ｂｕｓ）、ＵＳＢ  Ｔｙｐｅ−Ｃ、Ｍｉｃｒｏ  ＵＳＢ、又はＬｉｇｈｔｎｉｎｇである。
【００１１】
１つの好ましい実施形態において、前記嵌合穴は、第１の穴タイプと第２の穴タイプとを交差してる十字穴である。前記第１の穴タイプの形状は、前記第２の穴タイプの形状と異なる。前記第１の穴タイプ及び前記第２の穴タイプは、それぞれ異なる前記コネクタの形状に対応する。
【００１２】
１つの好ましい実施形態において、支持部をさらに有する。前記支持部は、上下に接続される支持座及びソケット部材からなるものである。前記支持座は、ワイヤレス充電センサーの設置のために用いられる。前記ソケット部材は、中空状で開口部が下に向かって、その中空部のサイズが前記バックストッパーに対応する。前記ソケット部材が前記バックストッパーに套設されると、前記支持部が前記担持ユニットに立設され得る。
【００１３】
１つの好ましい実施形態において、担持部をさらに有する。前記担持部は、直立状の支持部材及び水平状の担持プレートからなるものである。前記支持部材は、中空状で開口部が下に向かって、中空部のサイズが前記バックストッパーに対応する。前記支持部材が前記バックストッパーに套設されると、前記担持プレートを前記担持ユニットに水平に配置し得る。
【００１４】
１つの好ましい実施形態において、前記担持プレートは、担持溝がさらに形成される。前記担持溝は、ワイヤレス充電センサーの設置のために用いられる。
【考案の効果】
【００１５】
本考案に係る充電コネクタ固定ホルダーは、有線充電でもワイヤレス誘導充電でも、充電中に携帯電話を前記固定ホルダーに置くことで、予想外の衝突による携帯電話の損傷を防止することができる。
【図面の簡単な説明】
【００１６】
【図１】本考案に係る充電コネクタ固定ホルダーを示す斜視図である。
【図２】本考案に係る充電コネクタ固定ホルダーの使用状態を示す図である。
【図３】本考案の充電コネクタ固定ホルダーを示す分解図である。
【図４】本考案の充電コネクタ固定ホルダーを示す他の角度からの分解図である。
【図５】本考案の充電コネクタ固定ホルダーの使用状態を示す断面拡大模式図である。
【図６Ａ】図６Ａは、本考案の充電コネクタ固定ホルダー及び継手部材を示す分解図である。
【図６Ｂ】図６Ｂは、本考案の充電コネクタ固定ホルダー及び継手部材を示す他の角度からの分解図である。
【図６Ｃ】図６Ｃは、本考案の充電コネクタ固定ホルダー及び継手部材の使用状態を示す図面である。
【図６Ｄ】図６Ｄは、本考案の充電コネクタ固定ホルダー及び継手部材と他の規格のコネクタとを組み合わせた使用状態を示す模式図である。
【図７Ａ】図７Ａは、本考案の充電コネクタ固定ホルダー及び支持部を示す分解図である。
【図７Ｂ】図７Ｂは、本考案の充電コネクタ固定ホルダー及び支持部を示す他の角度からの分解図である。
【図７Ｃ】図７Ｃは、本考案の充電コネクタ固定ホルダー及び支持部の使用状態を示す模式図である。
【図８Ａ】図８Ａは、本考案の充電コネクタ固定ホルダー及び担持部を示す分解図である。
【図８Ｂ】図８Ｂは、本考案の充電コネクタ固定ホルダー及び担持部を示す他の角度からの分解図である。
【図８Ｃ】図８Ｃは、本考案の充電コネクタ固定ホルダー及び担持部の使用モードを示す図面である。
【図８Ｄ】図８Ｄは、本考案の充電コネクタ固定ホルダー及び担持部の使用状態を示す側面図である。
【考案を実施するための形態】
【００１７】
図１は、本考案に係る充電コネクタ固定ホルダーを示す斜視図である。本考案に係る充電コネクタ固定ホルダーは、締め付けバンド１と担持ユニット２とを有する。前記締め付けバンド１は、弾性があり、その内径が伸ばすことで拡大され得る。前記担持ユニット２は、前記締め付けバンド１の一部に連結され、少なくとも１つのフロントストッパー２１及び少なくとも１つのバックストッパー２２が立設されている。前記フロントストッパー２１と前記バックストッパー２２との間には、物品を置くための配置空間２３を有する。
【００１８】
前記物品は、例えば、携帯電話、ビデオプレーヤー、小型カメラ等の電子モバイル機器であってもよい。図２に示すように、本実施例において、前記物品は携帯電話３である。前記締め付けバンド２は、充電器４が有する差込プラグ４１の外周に套設可能である。前記差込プラグ４１を壁コンセント８に挿し、ケーブル４２のもう一端のコネクタ４３を前記携帯電話３に電気接続すると、前記携帯電話３は、前記配置空間２３内に立設され、その前方及び後方がそれぞれ前記フロントストッパー２１及び前記バックストッパー２２で支持される。これにより、充電中に、携帯電話３が前記差込プラグ４１に立設される。したがって、本考案によれば、携帯電話を床に置いて不注意で前記ケーブル４２又は前記携帯電話３を蹴ることによる携帯電話３の損傷を回避することができる。
【００１９】
単一製品に適用するために、前記締め付けバンド１及び前記担持ユニット２は、必要な形状に一体加工され得る。適用範囲を拡大するために、本考案者は、もう１つの構造を提供する。
【００２０】
図２、図３に示すように、前記フロントストッパー２１は、前記担持ユニット２に位置調整可能に立設される。前記バックストッパー２２は、移動不可であり、かつ前記担持ユニット２と一体になる。前記担持ユニット２は、その頂面に凸歯部２４が形成され、その両側にそれぞれ凸レール２５が形成される。
【００２１】
図４に示すように、前記フロントストッパー２１は、その底面の真ん中に一方向ギア２１１が形成され、その両側が下に延長してフック状の保持部材２１２に形成される。組み立てる場合に、前記フロントストッパー２１は、前記担持ユニット２における前記バックストッパー２２と離れた一端から置入され、その両側が前記保持部材２１２を介して前記凸レール２５と接触する。そのため、前記フロントストッパー２１が移動可能となる。
【００２２】
図５に示すように、前記一方向ギア２１１は、一方向的に前記凸歯面部２４に係止される。調整する時に、前記フロントストッパー２１が前記バックストッパー２２への方向のみに移動でき、かつ、前記携帯電話３のサイズに対応するように前記受容空間２３のサイズを縮小することで、挟持固定という目的を達成できる。
【００２３】
再調整の可能性があることを考慮し、各前記凸レール２４は、前記バックストッパー２２に隣接する位置にノッチ２６が形成される。前記フロントストッパー２１が前記ノッチ２６に移動すると、前記保持部材２１２を僅かに外側に引くことで前記フロントストッパー２１を取り外すことができる。その後、上記のようにもう一度配置することで位置の再調整を行うことができる。
【００２４】
前記担持ユニット２は、前記締め付けバンド１の一部に連結される。前記連結の方式は、粘着剤で固定する方法であってもよいが、これに限定されない。
【００２５】
本考案は、もう１つの実施例を提供する。前記担持ユニット２は、その底部に係止ブロック２７がさらに形成される。前記係止ブロック２７と前記担持ユニット２との間には、前記締め付けバンド１の一部を配置するための隙間２８を有し、これにより、前記担持ユニット２を前記締め付けバンド１の一部に連結することができる。
【００２６】
本実施例において、前記締め付けバンド１は、シリコーン又はゴムからなるものであってもよく、弾性があり、その内径が伸ばすことで拡大され得る。前記担持ユニット２は、前記携帯電話３を支持するために、硬質プラスチック又は硬い材料からなるものであり、生産及び製造がより容易になる。
【００２７】
上記の実施例において、壁コンセントが一般的な電源コンセントであるが、一部の壁コンセント又は電気機器における垂直な壁に設けられるコンセントは、ポートの規格に対応する差し込み口を有する。前記ポートは、例えば、ＵＳＢ、ＵＳＢ  Ｔｙｐｅ−Ｃ、Ｍｉｃｒｏ  ＵＳＢ及びＬｉｇｈｔｎｉｎｇ等が挙げられ、一般的には、ＵＳＢの規格を採用する。それに対し、本考案は、もう１つの実施例を提供する。
【００２８】
図６Ａ及び図６Ｂは、本考案に係る充電コネクタ固定ホルダー及び継手部材を示す分解図である。前記継手部材５は、付属品である。図６Ｃに示すように、使用する時に、まず、前記締め付けバンド１を前記継手部材５に套設した後、対応するコネクタ４３を前記継手部材５に挿す。前記締め付けバンド１を前記継手部材５の外周に套設して締め付けるように、前記継手部材５の形状及びサイズは、前記締め付けバンド１の内径より大きい必要がある。前記継手部材５の形状は、長方型、円形、又は多角形であってもよい。
【００２９】
前記継手部材５は、貫通する少なくとも１つの嵌合穴５１を有する。前記嵌合穴５１は、対応するコネクタ４３が挿入できる形状を有する。前記コネクタ４３は、ケーブル４２の一端に位置し、ポートの形状を有する。前記ポートの規格は、例えば、ＵＳＢ、ＵＳＢ  Ｔｙｐｅ−Ｃ、Ｍｉｃｒｏ  ＵＳＢ及びＬｉｇｈｔｎｉｎｇ等が挙げられる。本考案の適用範囲を拡大するために、本実施例において、前記嵌合穴５１は、第１の穴タイプ５１１と第２の穴タイプ５１２とを交差してなる十字穴である。前記第１の穴タイプ５１１及び前記第２の穴タイプ５１２は、それぞれ２つの異なる規格及び形状を有するコネクタ４３及びコネクタ４４に対応する。
【００３０】
例えば、図６Ｃに示すように、前記第１の穴タイプ５１１がＵＳＢの規格に対応し、また、図６Ｄに示すように、前記第２の穴タイプ５１２がＵＳＢ  Ｔｙｐｅ−Ｃ又はＬｉｇｈｔｎｉｎｇの規格に対応し、それにより、本考案の適用範囲を拡大することができる。
【００３１】
図６Ｃに示すように、使用する時に、コネクタ４３を前記継手部材５の嵌合穴５１に挿入するように、前記コネクタ４３の形状に応じて前記締め付けバンド１及び前記継手部材５の位置を調整することで、充電する時に携帯電話３を前記担持ユニット２に置くことができる。
【００３２】
図６Ｂに示すように、前記継手部材５は、前記嵌合穴５１と連通するより大径な円錐穴５２を有する。前記円錐穴５２は、使用者が前記コネクタ４３の絶縁ハウジングを把持して前記円錐穴５２内に挿入し、さらに前記コネクタ４３の金属端を前記嵌合穴５１から突き出せるためのものである。
【００３３】
なお、ワイヤレス充電センサーで充電する携帯電話３もある。このようなワイヤレス充電センサーは、２種類がある。１つ目のワイヤレス充電センサーは、磁気を有し、充電しながら携帯電話を吸着することができ、例えば、ＡＰＰＬＥ社のｉＰｈｏｎｅ１３の充電器が挙げられる。２つ目のワイヤレス充電センサーは、磁気を有せず、ワイヤレス誘導充電の機能のみを有する。したがって、実際のニーズに応じ、本考案は、他の２種類の付属品を提供する。
【００３４】
図７Ａ及び図７Ｂは、本考案に係る充電コネクタ固定ホルダー及び支持部を示す分解図である。本実施例において、前記ワイヤレス充電センサー４５は、磁気を有し、前記ケーブル４２の一端に位置し、かつ、充電しながら携帯電話を吸着することができる。前記支持部６は、上下に接続される支持座６１及びソケット部材６２からなるものである。前記支持座６１は、前記ワイヤレス充電センサー４５の設置のための受容溝６１１を有する。前記ソケット部材６２は、中空状で開口部６２１が下に向かって、その中空部のサイズが前記バックストッパー２２に対応する。前記ソケット部材６２が前記バックストッパー２２に套設されると、前記支持部６が前記担持ユニット２に立設され得る。
【００３５】
組み立てた後の堅牢性を確保するために、図７に示すように、前記バックストッパー２２は、位置決めブロック２２１をさらに有する。前記ソケット部材６２は、前記位置決めブロック２２１に対応する位置に係止溝６３が形成される。前記バックストッパー２２が前記開口部６２１から前記ソケット部材６２に挿入されると、前記位置決めブロック２２１が前記係止溝６３に位置され、これにより、前記支持部６が前記担持ユニット２から容易に取り外されない。
【００３６】
図７Ｃは、使用状態を示す模式図である。前記差込プラグ４１を前記壁コンセント８に挿し、前記ワイヤレス充電センサー４５に電力を供給し、前記携帯電話３が前記ワイヤレス充電センサー４５で吸着されて前記支持部６に貼り付けられる。そのため、充電する時に前記携帯電話３が前記担持ユニット２の上方に制限される。
【００３７】
図８Ａ及び図８Ｂは、本考案に係る充電コネクタ固定ホルダー及び担持部を示す分解図である。本実施例において、前記携帯電話３を平らに置くためのテーブルを提供する。前記担持部７は、ワイヤレス充電センサー４６を設けてもよく、設けなくてもよい。前記担持部７は、直立状の支持部材７１及び水平状の担持プレート７２からなるものである。前記支持部材７１は、中空状で開口部７１１が下に向かって、その中空部のサイズが前記バックストッパー２２に対応する。支持部材７１が前記バックストッパー２２に套設されると、前記担持プレート７２が前記担持ユニット２に水平に配置され得る。
【００３８】
なお、部品同士の干渉を防止するために、前記担持プレート７２は、前記支持部材７１に隣接する箇所に窓口７３が形成される。前記窓口７３のサイズは、対応する前記フロントストッパー２１のサイズより大きい。また、前記担持プレート７２は、担持溝７２１がさらに形成される。前記担持溝７１１は、他の規格のワイヤレス充電センサー４６の設置のために用いられる。本実施例において、前記ワイヤレス充電センサー４６は、磁気を有せず、ワイヤレス充電誘導機能のみを有する。なお、ワイヤレス充電センサー４６を設置しない場合には、前記担持プレート７２が前記携帯電話３を平らに置くための平面であってもよい。
【００３９】
図８Ｃ及び図８Ｄは、本考案の実際の使用状態を示す模式図である。前記ワイヤレス充電センサー４６を前記担持プレート７２に設置し、前記フロントストッパー２１を前記バックストッパー２２に向かって移動し、前記担持部７を上から下に配置する際に、前記バックストッパー２２を前記支持部材７１に挿入し、前記フロントストッパー２１を前記窓口７３内に位置させる。ケーブル４２を利用して前記ワイヤレス充電センサー４６と接続し、前記ワイヤレス充電センサー４６によって前記携帯電話３を充電し、かつ、前記携帯電話３を前記担持プレート７２に平らに置く。
【００４０】
上記をまとめて、本考案に係る充電コネクタ固定ホルダーは、前記締め付けバンド１が前記差込プラグ４１又は前記継手部材５を締め付けることで、前記差込プラグ４１、又は前記継手部材５に挿した前記コネクタ４３がコンセントに挿入され、前記担持ユニット２で前記携帯電話３を支持する。そのようにすると、充電しながら前記携帯電話３を支持することができる。なお、異なるワイヤレス充電センサー４５、４６を使用する場合には、異なる付属品、例えば前記支持部６及び前記担持部７を利用してワイヤレス充電を行うことができる。
【００４１】
よって、本考案によれば、さまざまな使用需要を満たし、前記携帯電話３を充電しながら収納するという目的を達成でき、全体的な構造が簡単であり、使用上便利であるため、実用新案の要件を満たす。
【００４２】
上記の実施例は、本考案の効果を例示的に説明するものにすぎず、本考案を制限するものではないため、当業者は、本考案の精神及び範囲から逸脱しない限り、上記の実施例に対して改良や変更を行うことができる。また、上記の実施例における部品の数は例示的に説明するものにすぎず、同様に本考案を制限するものではない。したがって、本考案の登録請求の範囲は別紙の登録請求の範囲のとおりである。
【符号の説明】
【００４３】
１  締め付けバンド
２  担持ユニット
２１  フロントストッパー
２１１  一方向ギア
２１２  保持部材
２２  バックストッパー
２２１  位置決めブロック
２３  受容空間
２４  凸歯部
２５  凸レール
２６  ノッチ
２７  係止ブロック
２８  隙間
３  携帯電話
４  充電器
４１  差込プラグ
４２  ケーブル
４３  コネクタ
４４  コネクタ
４５  ワイヤレス充電センサー
４６  ワイヤレス充電センサー
５  継手部材
５１  嵌合穴
５１１  第１の穴タイプ
５１２  第２の穴タイプ
５２  円錐穴
６  支持部
６１  支持座
６１１  受容溝
６２  ソケット部材
６２１  開口部
６３  係止溝
７  担持部
７１  支持部材
７１１  開口部
７２  担持プレート
７２１  担持溝
７３  窓口
８  コンセント
【図１】
0003235219.tif 000003
【図２】
0003235219.tif 000004
【図３】
0003235219.tif 000005
【図４】
0003235219.tif 000006
【図５】
0003235219.tif 000007
【図６Ａ】
0003235219.tif 000008
【図６Ｂ】
0003235219.tif 000009
【図６Ｃ】
0003235219.tif 000010
【図６Ｄ】
0003235219.tif 000011
【図７Ａ】
0003235219.tif 000012
【図７Ｂ】
0003235219.tif 000013
【図７Ｃ】
0003235219.tif 000014
【図８Ａ】
0003235219.tif 000015
【図８Ｂ】
0003235219.tif 000016
【図８Ｃ】
0003235219.tif 000017
【図８Ｄ】
0003235219.tif 000018